(57)【要約】      （修正有）【課題】観賞用等として用いることができると共に、パワーストーンの劣化防止を期待することのできる置物を提供する。【解決手段】置物１は、アクリル等の樹脂、ガラス、練り水晶又は溶練水晶からなり、平面視星形で無色透明の塊状の本体１ａと、本体１ａの全体に満遍なく担持された黒雲母又は蛭石の剥離片１ｂとで構成され、樹脂成形等によって製造する。上記のように構成された置物１は、黒雲母又は蛭石が黒を基調とした金色、銀色等の鮮やかな色彩を呈するため、観賞用として好適である。また、置物１の周囲に数珠状のパワーストーンを置くと、置物１を構成する各元素の振動がパワーストーンに伝達され、又は置物１を構成する各元素の振動によってパワーストーンに含まれる各元素が共振することで、パワーストーンの劣化を防止することが期待できる。【選択図】図１
0003169484.tif 000002
【実用新案登録請求の範囲】
【請求項１】
本体と、
該本体に黒雲母又は蛭石の剥離片を担持することを特徴とする置物。
【請求項２】
前記黒雲母又は蛭石の剥離片は、前記本体に満遍なく担持されることを特徴とする請求項１に記載の置物。
【請求項３】
前記本体は、樹脂、ガラス、練り水晶又は溶練水晶からなることを特徴とする請求項１又は２に記載の置物。
【考案の詳細な説明】
【技術分野】
【０００１】
本考案は、置物に関し、観賞用等として用いることができると共に、パワーストーンの近傍に位置させることでパワーストーンの劣化防止を期待できる置物に関する。
【背景技術】
【０００２】
パワーストーンは、特殊な力が宿っていると考えられる宝石類、貴金属、卑金属、象牙等の生物材料等であって、それらを装着することで何らかのよい結果がもたらされると愛好家に信じられている。
【考案の概要】
【考案が解決しようとする課題】
【０００３】
しかし、上記のようなパワーストーンは、その使用状態や時間の経過と共に劣化し、装着することによって得られる効果が徐々に小さくなると考えられている。
【０００４】
そこで、本考案は、観賞用等として用いることができると共に、パワーストーンの劣化防止を期待することのできる置物を提供することを目的とする。
【課題を解決するための手段】
【０００５】
上記目的を達成するため、本考案は、置物であって、本体と、該本体に黒雲母又は蛭石の剥離片を担持することを特徴とする。
【０００６】
そして、本考案によれば、黒雲母又は蛭石が黒を基調とした金色、銀色等の鮮やかな色彩を呈するため観賞用等として用いることができると共に、黒雲母又は蛭石が多くの元素を含むことから、パワーストーンの近傍に置いた場合に、パワーストーンの種類に関わらず、パワーストーンを構成する元素に振動を伝達し、又はパワーストーンを構成する元素が共振することで、パワーストーンの劣化防止を期待することができる。
【０００７】
前記置物において、前記黒雲母又は蛭石の剥離片を、前記本体に満遍なく担持させることができる。
【０００８】
また、前記置物において、前記本体を樹脂、ガラス、練り水晶又は溶練水晶で構成することができ、比較的安価で見栄えのよい置物を提供することができる。
【考案の効果】
【０００９】
以上のように、本考案にかかる置物によれば、観賞用等として用いることができると共に、パワーストーンの劣化防止を期待することができる。
【図面の簡単な説明】
【００１０】
【図１】本考案にかかる置物の一実施の形態を示す概略図であって、（ａ）は正面図、（ｂ）は上面図、（ｃ）は斜視図である。
【図２】図１の置物の使用状態の一例を示す概略平面図である。
【図３】本考案にかかる置物の他の実施の形態を示す概略図であって、（ａ）は正面図、（ｂ）は上面図、（ｃ）は斜視図である。
【考案を実施するための形態】
【００１１】
次に、本考案を実施するための形態について、図面を参照しながら詳細に説明する。
【００１２】
図１は、本考案にかかる置物の一実施の形態を示し、この置物１は、アクリル等の樹脂、ガラス、練り水晶又は溶練水晶からなり、平面視星形で無色透明の塊状の本体１ａと、本体１ａの全体に満遍なく担持された黒雲母又は蛭石の剥離片１ｂとで構成され、樹脂成形等によって製造することができる。
【００１３】
黒雲母は、ケイ酸塩鉱物の一種であって、黒雲母が風化した物が蛭石である。本考案では、このいずれかの鉱物の剥離片を使用することができる。特に、福島県阿武隈山系や、米国カリフォルニア州より産出する黒雲母又は蛭石は、８０種以上の多くの元素を含むためより好ましい。
【００１４】
上記のように構成された置物１は、黒雲母又は蛭石が黒を基調とした金色、銀色等の鮮やかな色彩を呈するため、観賞用として好適であると共に、図２に示すように、置物１の周囲に数珠状のパワーストーン３を置くと、置物１を構成する各元素の振動がパワーストーン３に伝達され、又は置物１を構成する各元素の振動によってパワーストーン３に含まれる各元素が共振することで、パワーストーン３の劣化を防止することが期待できる。
【００１５】
図３は、本考案にかかる置物の他の実施形態を示し、この置物５は、アクリル等の樹脂、ガラス、練り水晶又は溶練水晶からなる円柱状の本体５ａと、本体５ａに担持された黒雲母又は蛭石剥離片５ｂとで構成され、樹脂成形等によって製造することができる。この置物５も、上記置物１と形状が異なるが、置物１と同様に観賞用等として用いることができると共に、パワーストーンの劣化防止を期待することができる。
【００１６】
尚、上記実施の形態においては、置物１、５の本体１ａ、５ａをアクリル等の樹脂、ガラス、練り水晶又は溶練水晶で形成したが、これらの材料以外の材料で形成することもできる。
【００１７】
また、置物１、５では、本体１ａ、５ａの全体に満遍なく剥離片１ｂ、５ｂを設けたが、本体１ａ、５ａの表面に剥離片１ｂ、５ｂを設けてもよく、本体１ａ、５ａの全表面、表面の一部に剥離片１ｂ、５ｂを設けることもできる。その際、置物１、５を樹脂成形等で製造するのではなく、黒雲母又は蛭石の剥離片１ｂ、５ｂをアクリル等の本体１ａ、５ａの表面に固着させ、その上から剥離片１ｂ、５ｂを被覆するようにしてもよい。
【００１８】
さらに、本体１ａ、５ａは、塊状でなくとも、板状、棒状等種々の形状とすることができ、本体１ａ、５ａは、無色透明でなく、有色透明であってもよく、透明度についても限定されない。
【符号の説明】
【００１９】
１  置物
１ａ  本体
１ｂ  剥離片
３  パワーストーン
５  置物
５ａ  本体
５ｂ  剥離片
【図１】
0003169484.tif 000003
【図２】
0003169484.tif 000004
【図３】
0003169484.tif 000005
【手続補正書】
【提出日】平成23年5月26日(2011.5.26)
【手続補正１】
【補正対象書類名】実用新案登録請求の範囲
【補正対象項目名】全文
【補正方法】変更
【補正の内容】
【実用新案登録請求の範囲】
【請求項１】
塊状、板状又は棒状の本体と、  該本体の表面又は内部に黒雲母又は蛭石の剥離片を備えることを特徴とする置物。
【請求項２】
前記本体は、樹脂、ガラス、練り水晶又は溶練水晶からなることを特徴とする請求項１に記載の置物。
【手続補正２】
【補正対象書類名】明細書
【補正対象項目名】０００５
【補正方法】変更
【補正の内容】
【０００５】  上記目的を達成するため、本考案は、置物であって、塊状、板状又は棒状の本体と、該本体の表面又は内部に黒雲母又は蛭石の剥離片を備えることを特徴とする。
【手続補正３】
【補正対象書類名】明細書
【補正対象項目名】０００７
【補正方法】削除
【補正の内容】